(57)【特許請求の範囲】
【請求項１】
シリンダブロック(１)から枢軸(２)を突出させ、枢軸(２)の基端側に受座(３)を設け、枢軸(２)にアイドルギヤ(４)を嵌め、枢軸(２)の突出端面(５)に抜け止め板(６)を取り付け、受座(３)と抜け止め板(６)の外周縁部(７)との間にアイドルギヤ(４)を挟んで、アイドルギヤ(４)を枢軸(２)に取り付けた、エンジンのギヤ伝動装置において、
抜け止め板(６)の外周縁部(７)の外径を、この外周縁部(７)の受け止め面(８)に受け止めさせるアイドルギヤ(４)の被受け止め面(１０)の外径よりも大きくし、抜け止め板(６)の外周縁部(７)のうち、受け止め面(８)から径方向外側に伸びるはみ出し面(８ａ)をギヤケース内(４ａ)で露出させ、
抜け止め板(６)として、外周縁部(７)の片面(７ａ)にダレ(９)が生じる板金の打ち抜き加工品を用いるに当たり、
抜け止め板(６)の外周縁部(７)の外径を、アイドルギヤ(４)の被受け止め面(１０)の外径よりも大きくすることにより、ダレ(９)の位置をアイドルギヤ(４)の被受け止め面(１０)よりも径方向外側に偏倚させ、
抜け止め板(６)の表側面(６a)と裏側面(６b)の両方にオイル保持凹部(１５)を設け、枢軸(６)の突出端面(５)に抜け止め板(６)の表側面(６ａ)と裏側面(６ｂ)のどちらを向けて抜け止め板(６)を取り付けても、受け止め面(８)となった面にオイル保持凹部(１５)が設けられているようにした、ことを特徴とするエンジンのギヤ伝動装置。
【請求項２】
請求項１に記載したエンジンのギヤ伝動装置において、
オイル保持凹部(１５)は、抜け止め板(６)の受け止め面(８)に格子状に設けた断面Ｖ字形のオイル保持溝(２６)で、Ｖ字の角度θが６０°〜１２０°、深さＤが０．０５ｍｍ〜０．２ｍｍ、隣合うオイル保持溝(２６)(２６)の最深部(２７)(２７)間の距離が０．５ｍｍ〜１．５ｍｍである、ことを特徴とするエンジンのギヤ伝動装置。
【請求項３】
請求項１または請求項２に記載したエンジンのギヤ伝動装置において、
抜け止め板(６)を枢軸(２)の中心軸線(１３)に沿う一本のネジ具(１４)で枢軸(２)に取り付け、枢軸(２)の中心軸線(１３)から抜け止め板(６)の径方向に偏倚した突起(１１)と嵌合穴(１２)との嵌合により、抜け止め板(６)を廻り止めした、ことを特徴とするエンジンのギヤ伝動装置。
【請求項４】
請求項３に記載したエンジンのギヤ伝動装置において、
突起(１１)はハーフピアス加工で抜け止め板(６)から突出させた、ことを特徴とするエンジンのギヤ伝動装置。
【発明の詳細な説明】
【技術分野】
【０００１】
本発明は、エンジンのギヤ伝動装置に関し、詳しくは、抜け止め板の受け止め面の潤滑性を高めることができる、エンジンのギヤ伝動装置に関する。
【背景技術】
【０００２】
従来、エンジンのギヤ伝動装置として、シリンダブロックから枢軸を突出させ、枢軸の基端側に受座を設け、枢軸にアイドルギヤを嵌め、枢軸の突出端面に抜け止め板を取り付け、受座と抜け止め板の外周縁部との間にアイドルギヤを挟んで、アイドルギヤを枢軸に取り付けたものがある(例えば、特許文献１参照)。
この種のエンジンのギヤ伝動装置によれば、簡単な構造でアイドルギヤを枢軸に強固に取り付けることができる利点がある。
【０００３】
しかし、この従来技術では、抜け止め板の外周縁部の外径を、この外周縁部の受け止め面に受け止めさせるアイドルギヤの被受け止め面の外径と同じにしているため、問題がある。
【先行技術文献】
【特許文献】
【０００４】
【特許文献１】特開２００９−７４５０５号公報(図１参照)
【発明の概要】
【発明が解決しようとする課題】
【０００５】
《問題》  抜け止め板の受け止め面の潤滑性能が十分に得られない場合がある。
抜け止め板の外周縁部の外径を、この外周縁部の受け止め面に受け止めさせるアイドルギヤの被受け止め面の外径と同じにしているため、ギヤケース内で浮遊するオイルミストを、受け止め面の潤滑に利用することができず、抜け止め板の受け止め面の潤滑性能が十分に得られない場合がある。
【０００６】
本発明の課題は、抜け止め板の受け止め面の潤滑性を高めることができる、エンジンのギヤ伝動装置を提供することにある。
【課題を解決するための手段】
【０００７】
請求項１に係る発明の発明特定事項は、次の通りである。
図１(Ｂ)に例示するように、シリンダブロック(１)から枢軸(２)を突出させ、枢軸(２)の基端側に受座(３)を設け、枢軸(２)にアイドルギヤ(４)を嵌め、枢軸(２)の突出端面(５)に抜け止め板(６)を取り付け、受座(３)と抜け止め板(６)の外周縁部(７)との間にアイドルギヤ(４)を挟んで、アイドルギヤ(４)を枢軸(２)に取り付けた、エンジンのギヤ伝動装置において、
図１(Ｂ)に例示するように、抜け止め板(６)の外周縁部(７)の外径を、この外周縁部(７)の受け止め面(８)に受け止めさせるアイドルギヤ(４)の被受け止め面(１０)の外径よりも大きくし、抜け止め板(６)の外周縁部(７)のうち、受け止め面(８)から径方向外側に伸びるはみ出し面(８ａ)をギヤケース内(４ａ)で露出させ、
図１(Ｂ)に例示するように、抜け止め板(６)として、外周縁部(７)の片面(７ａ)にダレ(９)が生じる板金の打ち抜き加工品を用いるに当たり、
抜け止め板(６)の外周縁部(７)の外径を、アイドルギヤ(４)の被受け止め面(１０)の外径よりも大きくすることにより、ダレ(９)の位置をアイドルギヤ(４)の被受け止め面(１０)よりも径方向外側に偏倚させ、
図２(Ａ)(Ｂ)に例示するように、抜け止め板(６)の表側面(６a)と裏側面(６b)の両方にオイル保持凹部(１５)を設け、枢軸(６)の突出端面(５)に抜け止め板(６)の表側面(６ａ)と裏側面(６ｂ)のどちらを向けて抜け止め板(６)を取り付けても、受け止め面(８)となった面にオイル保持凹部(１５)が設けられているようにした、ことを特徴とするエンジンのギヤ伝動装置。
【発明の効果】
【０００８】
(請求項１に係る発明)
請求項１に係る発明は、次の効果を奏する。
《効果》  抜け止め板の受け止め面の潤滑性を高めることができる。
図１(Ｂ)に例示するように、抜け止め板(６)の外周縁部(７)の外径を、この外周縁部(７)の受け止め面(８)に受け止めさせるアイドルギヤ(４)の被受け止め面(１０)の外径よりも大きくし、抜け止め板(６)の外周縁部(７)のうち、受け止め面(８)から径方向外側に伸びるはみ出し面(８ａ)をギヤケース内(４ａ)で露出させたので、ギヤケース内(４ａ)で浮遊するオイルミストを、はみ出し面(８ａ)に付着させ、凝縮させることができ、はみ出し面(８ａ)から受け止め面(８)と被受け止め面(１０)との隙間の外周に接近してきた凝縮オイルを、この隙間に浸透させることにより、抜け止め板(６)の受け止め面(８)の潤滑性を高めることができる。
【０００９】
《効果》  抜け止め板の取り付け作業が簡単になる。
図１(Ｂ)に例示するように、抜け止め板(６)として、外周縁部(７)の片面(７ａ)にダレ(９)が生じる板金の打ち抜き加工品を用いるに当たり、図１(Ｂ)に例示するように、抜け止め板(６)の外周縁部(７)の外径を、アイドルギヤ(４)の被受け止め面(１０)の外径よりも大きくすることにより、ダレ(９)の位置をアイドルギヤ(４)の被受け止め面(１０)よりも径方向外側に偏倚させたので、枢軸(２)への抜け止め板(６)の取り付け時に、枢軸(２)の突出端面(５)に抜け止め板(６)を表側面(６ａ)と裏側面(６ｂ)のどちらを向けて取り付けても、ダレ(９)のある外周縁部(７)の片面(７ａ)がアイドルギヤ(４)の受け止め面(８)になる不具合を避けることができ、抜け止め板(６)の取り付け時に抜け止め板(６)の向きを確認する必要がなくなり、抜け止め板(６)の取り付け作業が簡単になる。
なお、ダレ(９)のある外周縁部(７)の片面(７ａ)がアイドルギヤ(４)の受け止め面(８)になると、受け止め面積が小さいため、面圧が異常に大きくなり、抜け止め板(６)が短時間で磨耗する不具合がある。
《効果》抜け止め板の磨耗を低減することができる。
図２(Ａ)(Ｂ)に例示するように、抜け止め板(６)の表側面(６a)と裏側面(６b)の両方にオイル保持凹部(１５)を設け、枢軸(６)の突出端面(５)に抜け止め板(６)の表側面(６ａ)と裏側面(６ｂ)のどちらを向けて抜け止め板(６)を取り付けても、受け止め面(８)となった面にオイル保持凹部(１５)が設けられているようにしたので、抜け止め板(６)の取り付けの向きに拘わらず、アイドルギヤ(４)の受け止め面(８)の潤滑性を高め、抜け止め板(６)の磨耗を低減することができる。
(請求項２に係る発明)
請求項２に記載された発明は、請求項１に記載された発明の効果に加え、次の効果を奏する。
《効果》  アイドルギヤの受け止め面の潤滑性が高い。
オイル保持溝(２６)のＶ字の角度θが６０°を下回り、深さＤが０．０５ｍｍを下回ると、オイル保持溝(２６)のオイル保持量が不十分になり、アイドルギヤ(４)の受け止め面(８)の潤滑性が不十分になる。オイル保持溝(２６)のＶ字の角度θが１２０°を上回り、深さＤが０．２ｍｍを上回ると、オイル保持溝(２６)の開口面積が大きくなり過ぎ、アイドルギヤ(４)とその受け止め面(８)の接触面積が小さくなり過ぎて、面圧が上がり、抜け止め板(６)の外周縁部(７)が磨耗しやすい。隣合うオイル保持溝(２６)(２６)の最深部(２７)(２７)間の距離、すなわち隣合うオイル保持溝(２６)(２６)の離間距離Ｗが０．５ｍｍを下回ると、隣合うオイル保持溝(２６)(２６)が接近し過ぎ、アイドルギヤ(４)とその受け止め面(８)の接触面積が小さくなり過ぎて、面圧が上がり、抜け止め板(６)の外周縁部(７)が磨耗しやすい。隣合うオイル保持溝(２６)(２６)の離間距離Ｗが１．５ｍｍを上回ると、隣合うオイル保持溝(２６)(２６)が離れすぎ、オイル保持溝(２６)の本数が少なくなり、オイル保持溝(２６)のオイル保持量が不十分になり、アイドルギヤ(４)の受け止め面(８)の潤滑性が不十分になる。
これに対し、本発明では、オイル保持凹部(１５)は、抜け止め板(６)の受け止め面(８)に格子状に設けた断面Ｖ字形のオイル保持溝(２６)で、Ｖ字の角度θが６０°〜１２０°、深さＤが０．０５ｍｍ〜０．２ｍｍ、隣合うオイル保持溝(２６)(２６)の最深部(２７)(２７)間の距離が０．５ｍｍ〜１．５ｍｍであるため、アイドルギヤ(４)の受け止め面(８)の潤滑性が高い。
【００１０】
(請求項３に係る発明)
請求項３に係る発明は、請求項１または請求項２に係る発明の効果に加え、次の効果を奏する。
《効果》  抜け止め板の取り付け作業が簡単になる。
図１(Ｂ)に例示するように、抜け止め板(６)を枢軸(２)の中心軸線(１３)に沿う一本のネジ具(１４)で枢軸(２)に取り付け、枢軸(２)の中心軸線(１３)から抜け止め板(６)の径方向に偏倚した突起(１１)と嵌合穴(１２)との嵌合により、抜け止め板(６)を廻り止めしたので、抜け止め板(６)を複数のネジ具で枢軸(２)に取り付ける場合に比べ、抜け止め板(６)の取り付け作業が簡単になる。
【００１１】
《効果》ネジ具の緩みを防止することができる。
図１(Ｂ)に例示するように、抜け止め板(６)を枢軸(２)の中心軸線(１３)に沿う一本のネジ具(１４)で枢軸(２)に取り付け、枢軸(２)の中心軸線(１３)から抜け止め板(６)の径方向に偏倚した突起(１１)と嵌合穴(１２)との嵌合により、抜け止め板(６)を廻り止めしたので、アイドルギヤ(４)の回転による抜け止め板(６)の連れ廻りが起こらず、これに起因するネジ具(１４)の緩みを防止することができる。
【００１２】
(請求項４に係る発明)
請求項４に係る発明は、請求項３に係る発明の効果に加え、次の効果を奏する。
《効果》  適正方向照合用突起の成型が容易になる。
図１(Ｂ)に例示するように、突起(１１)はハーフピアス加工で抜け止め板(６)から突出させたので、抜け止め板(６)の打ち抜き加工と同時にハーフピアス加工で突起(１１)を成型することができ、突起(１１)の成型が容易になる。
【００１３】
【図面の簡単な説明】
【００１４】
【図１】本発明の実施形態に係るエンジンのギヤ伝動装置を説明する図で、図１(Ａ)は枢軸に取り付けたアイドルギヤの正面図、図１(Ｂ)は図１(Ａ)のＢ−Ｂ線断面図である。
【図２】本発明の実施形態に係るエンジンのギヤ伝動装置のオイル保持凹部を説明する図で、図２(Ａ)は図１(Ｂ)のIIＡ−IIＡ線断面図、図２(Ｂ)はオイル保持凹部の拡大断面図である。
【発明を実施するための形態】
【００１５】
図１〜図２は本発明の実施形態に係るエンジンのギヤ伝動装置を説明する図であり、この実施形態では、ディーゼルエンジンのギヤ伝動装置について説明する。
【００１６】
図１(Ｂ)に示すように、シリンダブロック(１)から枢軸(２)を突出させ、枢軸(２)の基端側に受座(３)を設け、枢軸(２)にアイドルギヤ(４)を嵌め、枢軸(２)の突出端面(５)に抜け止め板(６)を取り付け、受座(３)と抜け止め板(６)の外周縁部(７)との間にアイドルギヤ(４)を挟んで、アイドルギヤ(４)を枢軸(２)に取り付けている。
このアイドルギヤ(４)は、クランクギヤ(図外)から動弁カムギヤ(図外)や燃焼噴射カムギヤ(図外)を駆動する調時伝動ギヤトレイン(図外)の構成要素として用いるものであり、調時伝動ギヤトレインはシリンダブロック(１)に取り付けた調時伝動ギヤケース(図外)に収容している。
【００１７】
図１(Ｂ)に示すように、アイドルギヤ(４)はブッシュ(１７)を介して枢軸(２)に嵌合させている。ブッシュ(１７)の内周面には円環形のオイルリング溝(１８)を設けている。枢軸(２)にはオイル供給孔(１９)を設け、このオイル供給孔(１９)をオイルリング溝(１８)に連通させている。オイルパン(２０)のエンジンオイル(２１)をオイルポンプ(２２)からオイルギャラリ(２３)を介してクランク軸の軸受等のエンジン摺動部(２４)に供給し、オイルギャラリ(２３)から分岐したオイル分岐通路(２５)を枢軸(２)のオイル供給孔(１９)に連通させ、エンジンオイル(２１)が枢軸(２)とブッシュ(１７)との間に供給されるとともに、抜け止め板(６)の外周縁部(７)の裏側面(７ｂ)に供給されるようになっている。
【００１８】
抜け止め板(６)の外周縁部(７)の外径を、この外周縁部(７)の受け止め面(８)に受け止めさせるアイドルギヤ(４)の被受け止め面(１０)の外径よりも大きくし、抜け止め板(６)の外周縁部(７)のうち、受け止め面(８)から径方向外側に伸びるはみ出し面(８ａ)をギヤケース内(４ａ)で露出させている。
【００１９】
図１(Ｂ)に示すように、抜け止め板(６)として、外周縁部(７)の片面(７ａ)にダレ(９)が生じる板金の打ち抜き加工品を用いるに当たり、抜け止め板(６)の外周縁部(７)の外径を、アイドルギヤ(４)の被受け止め面(１０)の外径よりも大きくすることにより、ダレ(９)の位置をアイドルギヤ(４)の被受け止め面(１０)よりも径方向外側に偏倚させている。
なお、ダレとは、板金の打ち抜き加工時に、ダイ穴の周囲に沿って板金がパンチによって押し込まれたときに、板金の打ち抜き加工品の片面の外周縁部に発生するテーパ状または円弧状の押し込み面である。
【００２０】
図１(Ｂ)に示すように、抜け止め板(６)を枢軸(２)の中心軸線(１３)に沿う一本のネジ具(１４)で枢軸(２)に取り付け、枢軸(２)の中心軸線(１３)から抜け止め板(６)の径方向に偏倚した突起(１１)と嵌合穴(１２)との嵌合により、抜け止め板(６)を廻り止めしている。
【００２１】
突起(１１)はハーフピアス加工で抜け止め板(６)の表側面(６ａ)と裏側面(６ｂ)からそれぞれ突出させている。
ハーフピアス加工とは、穴があかない程度に板金にパンチを押し込んで、反対側から突起を押し出すプレス加工法である。
【００２２】
図２(Ａ)(Ｂ)に示すように、抜け止め板(６)の受け止め面(８)にオイル保持凹部(１５)を設けている。
枢軸(２)への抜け止め板(６)の取り付けは、枢軸(６)の突出端面(５)に抜け止め板(６)の表側面(６ａ)と裏側面(６ｂ)のどちらを向けて取り付けてもよく、どちらも受け止め面(８)となりうるため、オイル保持凹部(１５)は、抜け止め板(６)の表側面(６ａ)と裏側面(６ｂ)の両方に設ける。
すなわち、抜け止め板(６)の表側面(６a)と裏側面(６b)の両方にオイル保持凹部(１５)を設け、枢軸(６)の突出端面(５)に抜け止め板(６)の表側面(６ａ)と裏側面(６ｂ)のどちらを向けて抜け止め板(６)を取り付けても、受け止め面(８)となった面にオイル保持凹部(１５)が設けられているようにした。
オイル保持凹部(１５)は、抜け止め板(６)の受け止め面(８)に格子状に設けた断面Ｖ字形のオイル保持溝(２６)であり、オイル保持溝(２６)の最適寸法範囲は、Ｖ字の角度θが６０°〜１２０°、深さＤが０．０５ｍｍ〜０．２ｍｍ、隣合うオイル保持溝(２６)(２６)の離間距離Ｗが０．５ｍｍ〜１．５ｍｍである。隣合うオイル保持溝(２６)(２６)のオイル保持溝の離間距離Ｗは、隣合うオイル保持溝(２６)(２６)の最深部(２７)(２７)間の距離を計測したものである。
【００２３】
オイル保持溝(２６)のＶ字の角度θが６０°を下回り、深さＤが０．０５ｍｍを下回ると、オイル保持溝(２６)のオイル保持量が不十分になり、アイドルギヤ(４)の受け止め面(８)の潤滑性が不十分になる。オイル保持溝(２６)のＶ字の角度θが１２０°を上回り、深さＤが０．２ｍｍを上回ると、オイル保持溝(２６)の開口面積が大きくなり過ぎ、アイドルギヤ(４)とその受け止め面(８)の接触面積が小さくなり過ぎて、面圧が上がり、抜け止め板(６)の外周縁部(７)が磨耗しやすい。隣合うオイル保持溝(２６)(２６)の最深部(２７)(２７)間の距離、すなわち隣合うオイル保持溝(２６)(２６)の離間距離Ｗが０．５ｍｍを下回ると、隣合うオイル保持溝(２６)(２６)が接近し過ぎ、アイドルギヤ(４)とその受け止め面(８)の接触面積が小さくなり過ぎて、面圧が上がり、抜け止め板(６)の外周縁部(７)が磨耗しやすい。隣合うオイル保持溝(２６)(２６)の離間距離Ｗが１．５ｍｍを上回ると、隣合うオイル保持溝(２６)(２６)が離れすぎ、オイル保持溝(２６)の本数が少なくなり、オイル保持溝(２６)のオイル保持量が不十分になり、アイドルギヤ(４)の受け止め面(８)の潤滑性が不十分になる。
オイル保持凹部(１５)は、オイル保持溝(２６)に限らず、ショットピーニング加工によるディンプル状の窪みであってもよい。
【符号の説明】
【００２４】
(１) シリンダブロック
(２) 枢軸
(３) 受座
(４) アイドルギヤ
(４ａ) ギヤケース内
(５) 突出端面
(６) 抜け止め板
(７) 外周縁部
(７ａ) 片面
(８) 受け止め面
(８ａ) はみ出し面
(９) ダレ
(１０) 被受け止め面
(１１) 突起
(１２) 嵌合穴
(１３) 中心軸線
(１４) ネジ具
(１５) オイル保持凹部
【図１】
0005712155.tif 000002
【図２】
0005712155.tif 000003